(57)【要約】【課題】ＡＴＭの筐体を小型化し、ＡＴＭでの利用者の操作を簡便化する。【解決手段】従来のＡＴＭに内蔵されている紙幣入出金機に、利用者の携帯する携帯電話機６に対し、取引データを通信する通信部１８、通信制御部３２及び入出力処理部３１ａと、ホストコンピュータ１に対し、取引データを送受信する外部インタフェース部３０及びホスト通信処理部３１ｂとを設け、ＡＴＭ１０での入出力処理を携帯電話機６で行うようにしたので、ＡＴＭ１０の小型化が図れて省スペース化が可能になる。更に、予め利用者の携帯電話機６に取引データを入力しておくことによりＡＴＭ１０での利用者の操作を簡便化することができる。【選択図】図１
2010198266.tif 000002
【特許請求の範囲】
【請求項１】
利用者の操作によって取引を行う自動取引装置であって、
前記利用者によって投入された現金を受け付け、又は前記利用者によって受理される現金を蓄積する接客口と、
前記現金の分離、搬送及び蓄積を行うハンドリング手段と、
前記現金の真贋及び異常を鑑別する鑑別手段と、
前記現金を金種別に収納する金種別カセットと、
前記利用者が携帯している入出力手段に対して、取引データを通信する第１の通信手段と、
口座ファイルを有するホストコンピュータに対して、取引データの送受信を行う第２の通信手段と、
を有することを特徴とする自動取引装置。
【請求項２】
前記第１の通信手段は、
前記入出力手段に対して、第１の取引情報の送信を要求して前記第１の取引情報を受信し、受信した前記第１の取引情報と前記第１の通信手段が保有する第２の取引情報とを比較し、比較結果が一致のときは、前記取引が正当であるとし、不一致のときは前記取引を無効とする機能を有することを特徴とする請求項１記載の自動取引装置。
【請求項３】
利用者の操作によって取引を行う自動取引装置であって、
利用者によって投入された現金を受け付け、又は前記利用者によって受け取られる現金を蓄積する接客口と、
前記現金の分離、搬送及び蓄積を行うハンドリング手段と、
前記現金の真贋及び異常を鑑別する鑑別手段と、
前記現金を金種別に収納する金種別カセットと、
前記利用者が携帯している入出力手段から取引予約番号を含む取引情報を受信して前記取引を行う第１の通信手段と、
前記取引の取引履歴を記憶部に記録する記録手段と、
を有することを特徴とする自動取引装置。
【請求項４】
前記入出力手段は、携帯端末機であることを特徴とする請求項１〜３のいずれか１項に記載の自動取引装置。
【請求項５】
前記入出力手段は、バーコードであることを特徴とする請求項１〜３のいずれか１項に記載の自動取引装置。
【請求項６】
前記入出力手段は、２次元バーコードであることを特徴とする請求項１〜３のいずれか１項に記載の自動取引装置。
【発明の詳細な説明】
【技術分野】
【０００１】
本発明は、金融機関の店舗、コンビニエンスストア等に設置され、利用者の操作によって取引を行う現金自動預け払い機（以下「ＡＴＭ」という。）等の自動取引装置に関し、特に、入力操作を外部の携帯電話機等で行うようにした自動取引装置に関するものである。
【背景技術】
【０００２】
従来、金融機関の店舗、コンビニエンスストア等に設置され、利用者の操作によって取引を行うＡＴＭにおいては、預入れ、引出し、振込、残高照会、通帳記入、振替、暗証番号変更等の取引が利用者の操作により可能なようになっている。ＡＴＭは、通常、利用者が入力操作を行う図示しない入力操作部、紙幣入出金機、硬貨入出金機、通帳記帳機、カードリーダ、レシートプリンタ、ジャーナルプリンタ及びホストコンピュータとの通信制御部等を有している。
【０００３】
一方、パーソナルコンピュータ等を活用し、インターネットを介して、残高照会、振込、ローン、公共料金の振替等の取引を行うインターネットバンキングや、携帯電話機を活用したモバイルバンキングが普及している。携帯電話機には、非接触ＩＣチップや赤外線通信機能等の近距離通信のインタフェースが搭載されている。
【０００４】
ＡＴＭにおいて携帯電話機を利用して取引を行う技術は、例えば、特許文献１や特許文献２に記載されている。
【０００５】
特許文献１には、インターネットバンキングやモバイルバンキングを利用して、銀行取引、例えば、引出し取引を申し込み、後にＡＴＭにおいて出金を行う事例が記載されている。具体的には、パーソナルコンピュータや携帯電話機の画面に氏名、口座番号、暗証番号等を入力してホストコンピュータに送信し、本人確認の結果、本人であると確認されたときは、取引予約番号が発行される。ＡＴＭにおいて、この取引予約番号と暗証番号等を入力すると、ホストコンピュータでこれらの照合が行われ、一致のときはＡＴＭにおいて所定の現金が出金される。
【０００６】
特許文献２には、携帯電話機の画面を用いて、取引科目、暗証番号、金額等を入力し、ボタン操作により非接触ＩＣチップに書き込み、これをＡＴＭで読み込むことにより所定の金融取引を実行する技術が開示されている。
【先行技術文献】
【特許文献】
【０００７】
【特許文献１】特開２００１−２７３３９７号公報
【０００８】
【特許文献２】特開２００１−２９７１９８号公報
【発明の概要】
【発明が解決しようとする課題】
【０００９】
しかしながら、従来のＡＴＭでは、利用者の入力操作及びその誘導のための入力操作部やキャッシュカードのリードライト機構、更には、これらを制御する制御部を有しているため、装置の大きさが大きくなり設置場所には相応のスペースが必要であった。特許文献１、２の技術では、携帯電話機を利用して事前に入力操作を行うことにより、ＡＴＭでの入力操作を簡略化しているがＡＴＭ自体は現行の装置を前提にしているためＡＴＭの筐体を小型化するには至っていない。
【００１０】
更に、通常の現行のＡＴＭの取引においては、キャッシュカードの読み込み、暗証番号の入力、金額入力等の一連の取引動作が必要となるため、一定時間ＡＴＭを占有することとなりＡＴＭの利用に関し、待ち時間が生じることとなっている。
【００１１】
一方、インターネットバンキングやモバイルバンキングにおいては、残高照会、振込、ローン、公共料金の振替等の取引は可能であるが、現金の入出金を伴う取引はできなかった。
【課題を解決するための手段】
【００１２】
本発明の自動取引装置は、利用者の操作によって取引を行う自動取引装置であって、前記利用者によって投入された現金を受け付け、又は前記利用者によって受理される現金を蓄積する接客口と、前記現金の分離、搬送及び蓄積を行うハンドリング手段と、前記現金の真贋及び異常を鑑別する鑑別手段と、前記現金を金種別に収納する金種別カセットと、前記利用者が携帯している入出力手段に対して、取引データを通信する第１の通信手段と、口座ファイルを有するホストコンピュータに対して、取引データの送受信を行う第２の通信手段とを有することを特徴とする。
【００１３】
本発明の他の自動取引装置は、利用者の操作によって取引を行う自動取引装置であって、利用者によって投入された現金を受け付け、又は前記利用者によって受け取られる現金を蓄積する接客口と、前記現金の分離、搬送及び蓄積を行うハンドリング手段と、前記現金の真贋及び異常を鑑別する鑑別手段と、前記現金を金種別に収納する金種別カセットと、前記利用者が携帯している入出力手段から取引予約番号を含む取引情報を受信して前記取引を行う第１の通信手段と、前記取引の取引履歴を記憶部に記録する記録手段とを有することを特徴とする。
【発明の効果】
【００１４】
本発明の自動取引装置によれば、現金の入出金機構と、利用者の携帯する入出力手段に対して、取引データを通信する第１の通信手段と、ホストコンピュータに対して、取引データの送受信を行う第２の通信手段とを有するので、現金の入出金を伴う取引が可能であり、且つ、装置の小型化が図れて省スペース化が可能になる。
【００１５】
更に、予め利用者の入出力手段に取引データを入力しておくことにより自動取引装置での利用者の操作を簡便化することができる。このため、自動取引装置の利用に関し、待ち時間を削減することができる。
【図面の簡単な説明】
【００１６】
【図１】図１は本発明の実施例１におけるＡＴＭを示す構成図である。
【図２】図２は本発明の実施例１の金融機関の勘定系システム及びモバイルバンキングを示す概略構成図である。
【図３】図３は本発明の実施例１における図１中のＡＴＭ１０を示す機能ブロック図である。
【図４】図４は実施例１における図１のＡＴＭ１０の動作（一括入力）を示すフローチャートである。
【図５】図５は実施例１における図１のＡＴＭ１０の動作（逐次入力）を示すフローチャートである。
【図６】図６は実施例２における図１のＡＴＭ１０の動作を示すフローチャートである。
【図７】図７は実施例３における図１のＡＴＭ１０の動作を示すフローチャートである。
【発明を実施するための形態】
【００１７】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１８】
（実施例１の構成）
図２は、本発明の実施例１の金融機関の勘定系システム及びモバイルバンキングを示す概略構成図である。
【００１９】
銀行等の金融機関の勘定系システムは、預金勘定元帳の更新を伴う取引を管理するシステムであり、預金勘定元帳である口座ファイル２を有するホストコンピュータ１と、通信回線４を介してホストコンピュータ１に接続される自動取引装置（例えば、ＡＴＭ）１０（＝１０−１〜１０−Ｎ）と、営業店に設置される図示しない端末機等とから構成されている。
【００２０】
一方、携帯電話機等を活用し、インターネットを介して、残高照会、振込、ローン、公共料金の振替等の取引を行うモバイルバンキングが知られている。モバイルバンキングは、携帯電話機６のインターネット閲覧機能を利用した銀行取引サービスである。モバイルバンキングでは、モバイルバンキング用サーバ３にインターネット５を経由して携帯端末機（例えば、携帯電話機）６（＝６−１〜６−Ｎ）が接続され、前記サーバ３は、専用線等を介してホストコンピュータ１に接続される構成になっている。
【００２１】
携帯電話機６から要求される残高照会、振込、ローン、公共料金の振替等の取引データは、前記サーバ３を経由してホストコンピュータ１に送信され、口座ファイル２等が参照されて処理される。携帯電話機６には、非接触ＩＣチップや赤外線通信機能等の近距離通信のインタフェースが搭載されている。
【００２２】
なお、図示しないが、インターネットバンキングもモバイルバンキングの構成とほぼ同様の構成であって、例えば、図２のモバイルバンキング用サーバ３をインターネットバンキング用サーバに、携帯電話機６をパーソナルコンピュータに置き換えた構成である。インターネットバンキングにおいてもモバイルバンキングと同様に、残高照会、振込、ローン、公共料金の振替等の取引がパーソナルコンピュータを用いて行うことができる。
【００２３】
図１（ａ）、（ｂ）は、本発明の実施例１におけるＡＴＭを示す構成図である。
このＡＴＭ１０は、通常のＡＴＭに内蔵されている紙幣入出金機に、携帯電話機６に対し赤外線通信を行う通信部１８と、バーコードリーダ部１９と、ＩＣチップリーダライタ２０と、２次元バーコードリーダ部２１と、キーパッド２２と、表示部２３とを付加した構成となっている。以下、順次各機構について説明する。
【００２４】
本ＡＴＭ１０の各機構部は、現金（例えば、紙幣）を移動する搬送手段である紙幣の搬送路１１で接続されている。搬送路１１は、紙幣を挟持して搬送するベルト及びローラ等で構成され、正逆双方向に搬送することができる機能を有している。この搬送路１１の分岐点には図示しない切替ブレードが配置され、それを切り替えることにより紙幣の搬送先を変える構成になっている。又この紙幣の搬送路１１には、適宜な間隔でセンサ等が配置され、紙幣の走行状態を感知する機能を有している。
【００２５】
このＡＴＭ１０は、接客口１２を有しており、この接客口１２は、利用者により投入される紙幣を受付け、利用者へ出金する紙幣を蓄積（以下、集積という。）し、利用者との間で紙幣の受渡しを行う機構である。接客口１２は、投入された紙幣を図示しない分離ローラ機構等で１枚ずつ分離して繰り出すことができ、又出金される紙幣を図示しない集積ローラ機構等で集積する機能を有している。前記の搬送路１１、分離ローラ機構及び集積ローラ機構は、紙幣の搬送、分離及び集積を行うハンドリング手段を構成している。
【００２６】
接客口１２には、一時保留部１３が搬送路１１を介して接続されている。一時保留部１３は、利用者により接客口１２に投入された紙幣を、搬送路１１を経由して搬送し、図示しない集積ローラ機構により一時的に集積しておくものである。この一時保留部１３は、利用者により入金金額が確認されて入金取引が成立すると集積した入金紙幣を分離ローラ機構等で１枚ずつ分離して繰り出し、後述する金種別カセット１５へ搬送して集積する機能を有している。一方、利用者により入金取引が取消された場合、集積した入金紙幣を分離ローラ機構等で１枚ずつ分離して繰り出し、搬送路１１を経由して接客口１２へ返却する構成になっている。
【００２７】
接客口１２には、紙幣の鑑別を行う鑑別手段（例えば、鑑別部）１４が接続されて配置されている。この鑑別部１４は、光学式センサ等により通過する紙幣の画像データ等の特徴を取得し、その画像データ等の特徴と図示しない紙幣鑑別データベースに予め登録された画像データ等の特徴とを照合して紙幣の真偽、金種等の鑑別及び計数を行う構成になっている。
【００２８】
鑑別部１４には、金種別カセット１５（＝１５ａ〜１５ｄ）が接続されており、万円券、千円券を金種別に収納するように構成されている。この金種別カセット１５は、内部に図示しない昇降可能なステージや、開閉して紙幣を下方に落とす機構等を備えている。収納された紙幣は、金種別カセット１５の上方に設けられた図示しない分離ローラ機構で１枚ずつ分離して繰り出すことができる。この金種別カセット１５は、本実施例１では、それぞれ同一構造の万券用金種別カセット１５ａ及び１５ｂと千円券用金種別カセット１５ｃ及び１５ｄから構成されている。
【００２９】
金種別カセット１５には、補充回収カセット部１６が搬送路１１を介して接続されている。補充回収カセット部１６は、取外し可能に構成された補充回収カセットを有している。この補充回収カセット部１６は、図示しない昇降可能なステージ上に紙幣を集積させる集積ローラ機構、ステージ上の紙幣を分離する分離ローラ機構等で構成されており、金種別カセット１５の紙幣を回収して収納し、又その分離ローラ機構により装填された紙幣を１枚ずつ分離して繰り出し、金種別カセット１５に補充する機能を有している。
【００３０】
ＡＴＭ１０は、入出金リジェクトカセット１７を有している。入出金リジェクトカセット１７は、入出金処理時にリジェクトされた紙幣を収納するカセットである。
【００３１】
接客口１２の付近には、携帯電話機６との赤外線通信のための通信部１８及びバーコードリーダ部１９が備えられている。なお、赤外線通信は、電波で通信する方式に比べて、回析を起こさないため信号が空間的に広がりにくく、障害物があると通信できない欠点はあるが、一方、第三者に傍受されにくいというセキュリティ上の長所がある。
【００３２】
この他に、ＡＴＭ１０は、携帯電話機６のＩＣチップとデータ送受信を行うＩＣチップリーダライタ２０、２次元バーコードリーダ２１、暗証入力用のキーパッド２２及び液晶表示器等で構成された表示部２３を有している。
【００３３】
ＡＴＭ１０は、ホストコンピュータ１と接続するための外部インタフェース部３０及びプログラム制御によりＡＴＭ１０全体を制御する主制御部３１を有している。主制御部３１には、記憶部３２が接続されており、記憶部３２は、プログラム及び各種データを記憶しており、更に、プログラム実行時の作業用データを一時的に記憶するように構成されている。
【００３４】
このようにＡＴＭ１０は、搬送路１１、接客口１２、一時保留部１３、鑑別部１４、金種別カセット１５、補充回収カセット部１６、入出金リジェクトカセット１７、通信部１８、バーコードリーダ部１９等で構成され、入金処理、出金処理、補充処理及び回収処理を行うものである。
【００３５】
ここで、入金処理とはＡＴＭ１０の接客口１２に投入された紙幣を繰出して計数し、金種別カセット１５へ収納する処理であり、出金処理とは、金種別カセット１５に収納された紙幣を繰出して計数し、接客口１２へ集積する処理である。
【００３６】
補充処理とは、補充回収カセット部１６に装填された紙幣を繰出して計数し、金種別カセット１５へ収納する処理であり、回収処理とは金種別カセット１５に収納された紙幣を繰出して計数し、補充回収カセット部１６へ収納する処理である。
【００３７】
図３は、本発明の実施例１における図１中のＡＴＭ１０を示す機能ブロック図である。
【００３８】
ＡＴＭ１０は、主制御部３１を有しており、主制御部３１は、利用者が携帯している入出力手段（例えば、携帯電話機）６との間で取引データを入出力して処理する第１の通信手段（例えば、入出力処理部）３１ａ及びホストコンピュータ１との間で取引データを通信して処理する第２の通信手段（例えば、ホスト通信処理部）３１ｂを備えている。
【００３９】
主制御部３１は、通信部１８を制御する通信制御部３２と、搬送路１１の紙幣の走行を感知するセンサを制御するセンサ制御部３３と、接客口１２を制御する接客口制御部３４とが接続された構成になっている。
【００４０】
更に、主制御部３１には、一時保留部１３を制御する一時保留部制御部３５と、鑑別部１４を制御する鑑別部制御部３６と、搬送路１１に設けられた搬送用ベルトやローラのモータを制御する搬送モータ制御部３７と、紙幣を１枚ずつ分離する分離ローラ機構や搬送された紙幣をステージ上に集積させるための集積ローラ機構を制御する分離集積モータ制御部３８と、ホストコンピュータ１との通信を行うための外部インタフェース部３０とが接続されている。
【００４１】
（実施例１のＡＴＭ１０の動作）
本実施例１のＡＴＭ１０の動作については、引出し取引を例に、（１）一括入力処理と、（２）逐次入力処理に分けて説明する。
【００４２】
（１）  一括入力処理
図４は、実施例１における図１のＡＴＭ１０の動作（一括入力）を示すフローチャートである。
【００４３】
本実施例１におけるＡＴＭ１０の動作（一括入力）は、以下のステップＳ１〜Ｓ１２に従って処理が行われる。
【００４４】
引出し取引を行おうとする利用者は、予め、携帯電話機６に取引科目（引出し）、口座番号、暗証番号及び金額等の取引情報を入力しておき、ＡＴＭ１０に接近することにより本引出し取引が開始される。
【００４５】
ステップＳ１において、利用者により予め携帯電話機６に入力されていた前記口座番号等を携帯電話機６の赤外線送信機能を利用してＡＴＭ１０の通信部１８に送信する。ステップＳ２において、ＡＴＭ１０の入出力処理部３１ａは、口座番号等の取引情報を受信し、ステップＳ３において、ホスト通信処理部３１ｂによりこれらを編集してホストコンピュータ１に送信する。ホストコンピュータ１では、ＡＴＭ１０からの電文を受信すると、受信した口座番号をキーにして当該顧客の口座ファイル２から口座情報を読み出し、受信した暗証番号とホストコンピュータ１が保持している暗証番号とが一致するか判定する。判定の結果をＡＴＭ１０に送信する。
【００４６】
ステップＳ４において、ホストコンピュータ１での判定の結果、暗証番号が不一致であれば、ステップＳ５において、取引不可能の旨が利用者に通知され処理を終了する。この通知は、ＡＴＭ１０の接客口１２近辺の表示部２３に表示して通知する。前記ステップＳ４において、暗証番号が一致した場合は、ステップＳ６に進み、ステップＳ６において、入出力処理部３１ａは、通信制御部３２を介して通信部１８から口座番号等の取引情報の要求を赤外線により携帯電話機６に送信する。
【００４７】
ステップＳ７において、携帯電話機６は、口座番号等の送信要求を受信すると、ステップＳ１において一度送信した取引科目（引出し）、口座番号、暗証番号及び金額等の取引情報を赤外線送信機能によって再送する。ステップＳ８において、入出力処理部３１ａで、これらの取引情報を受信し、ステップＳ９において、入出力処理部３１ａは、受信した口座番号等の取引情報とＡＴＭ１０が保持していた口座番号等の取引情報とを付き合わせ、同一であるか否かが判定される。一致しなかったときは、ステップＳ１０へ進み、表示部２３を用いて、利用者に取引不可能が通知され引出し取引は中止されて本処理は終了する。
【００４８】
前記ステップＳ９において、口座番号等が一致したときは、ステップＳ１１へ進み、ステップＳ１１において、ＡＴＭ１０は、現金を計数して接客口１２に放出する。ステップＳ１２において、取引が終了した旨を、ホスト通信処理部３１ｂによりホストコンピュータ１に通知し、ホストコンピュータ１では、取引の終了通知を受けて口座ファイル２を更新する。
【００４９】
（２）  逐次入力処理
逐次入力処理は、口座番号、入金額、暗証番号等の取引情報を逐次ＡＴＭ１０に入力する入力方法であって、（１）の一括入力処理が、これらの取引情報を、予め、利用者により携帯電話機６に入力しておくのに対し、利用者は携帯電話機６の赤外線通信により、ＡＴＭ１０と通信を行いながら逐次入力する方法である。
【００５０】
図５は、実施例１における図１のＡＴＭ１０の動作（逐次入力）を示すフローチャートであり、実施例１のＡＴＭ１０の動作（一括入力）を示す図４中の要素と共通の要素には共通の符号が付されている。
【００５１】
本実施例１におけるＡＴＭ１０の動作（逐次入力）は、以下のステップＳ２１〜Ｓ３０及びステップＳ３〜Ｓ１２に従って処理が行われる。なお、ステップＳ３０に続く処理は、実施例１の（１）一括入力の処理であるステップＳ３〜ステップＳ１２と同様である。
【００５２】
ステップＳ２１において、利用者の携帯電話機６から引出し取引の取引開始要求を赤外線送信機能によりＡＴＭ１０に送信することで本引出し処理が開始される。
【００５３】
ステップＳ２２において、ＡＴＭ１０の入出力処理部３１ａは、取引開始要求を受信すると口座番号入力指示を携帯電話機６に送信する。ステップＳ２３において、口座番号が携帯電話機６に入力されＡＴＭ１０に送信される。ステップＳ２４において、口座番号が受信されると、ステップＳ２５において出金額の入力指示が携帯電話機６に送信される。ステップＳ２６において、出金額が携帯電話機６に入力されＡＴＭ１０に送信される。
【００５４】
ステップＳ２７において、出金額が受信されると、ステップＳ２８において暗証番号の入力指示が携帯電話機６に送信される。ステップＳ２９において、暗証番号が携帯電話機６に入力されＡＴＭ１０に送信される。ステップＳ３０において、ＡＴＭ１０で暗証番号が受信される。
【００５５】
暗証番号が受信されると、取引科目（引出し）、口座番号、出金額、暗証番号等の取引情報が入力されたことになり、以降、実施例１の（１）一括入力の処理と同様のステップＳ３〜ステップＳ１２の処理が行われる。
【００５６】
すなわち、ステップＳ３の口座番号をホストに送信処理、ステップＳ４の取引可能か？処理、ステップＳ５の取引不可能を通知処理、ステップＳ６の口座番号等要求処理、ステップ７の口座番号等送信処理、ステップＳ８の口座番号受信処理、ステップＳ９の口座番号等一致か？処理、ステップＳ１０の取引不可能を通知処理、ステップＳ１１の現金を計数して接客口１２に放出処理及びステップＳ１２の取引終了をホストに通知処理が実行され、本処理が終了する。
【００５７】
（実施例１の効果）
本実施例１のＡＴＭ１０によれば、従来のＡＴＭに内蔵されている紙幣入出金機に、利用者の携帯する携帯電話機６との間で取引データを通信する通信部１８、通信制御部３２及び入出力処理部３１ａと、ホストコンピュータ１との間で取引データを通信する外部インタフェース部３０及びホスト通信処理部３１ｂとを設けたので、装置の小型化が図れて省スペース化が可能になる。更に、予め利用者の携帯電話機６に取引データを入力しておくことによりＡＴＭ１０での利用者の操作を簡便化することができる。
【実施例２】
【００５８】
本実施例２は、予め、利用者が携帯電話機６によりホストコンピュータ１と通信することにより仮出金処理を行い、ＡＴＭ１０において、仮出金処理に関する情報を入力して現金を引き出す処理である。ＡＴＭ１０では、引出し処理時にホストコンピュータ１との通信は行わず、例えば、ＡＴＭ１０の運用終了後、ホストコンピュータ１と通信を行い一括して取引の付き合わせを行い口座ファイル２の更新を行うものである。
【００５９】
（実施例２の構成）
本発明の実施例２におけるＡＴＭ１０の構成は、実施例１の構成と同様である。
【００６０】
（実施例２の動作）
図６は実施例２における図１のＡＴＭ１０の動作を示すフローチャートである。
【００６１】
実施例２においては、利用者は、予め、モバイルバンキングの仕組みを使って、仮出金処理を行う。例えば、モバイルバンキング用サーバ３に引出し取引を要求する。引出し取引の要求に際しては、口座番号、出金額、暗証番号が前記サーバ３に送信され、取引の正当性が判断される。
【００６２】
取引が正当と判断されたときは、前記サーバ３は、ホストコンピュータ１と通信を行い、所定の口座ファイル２から出金額を仮引き落としし、取引予約番号を当該の携帯電話機６に通知する。
【００６３】
このとき、利用者は引出しを希望するＡＴＭ１０の設置場所を指定するようにしてもよいし、前記サーバ３で利用者の居場所を携帯電話機６の位置から検知し最寄りのＡＴＭ１０の設置場所を指定してもよい。このとき引出し予定のＡＴＭ１０にも取引予約番号を含む仮取引情報が送信される。
【００６４】
本実施例２におけるＡＴＭ１０の動作は、以下のステップＳ４１〜Ｓ４６に従って処理が行われる。
【００６５】
引出し取引を行おうとする利用者は、予め、携帯電話機６に取引予約番号、取引科目（引出し）、口座番号、暗証番号及び金額等の仮取引情報を入力しておき、ＡＴＭ１０に接近することにより本引出し取引が開始される。
【００６６】
ステップＳ４１において、利用者により予め携帯電話機６に入力されていた前記口座番号等を携帯電話機６の赤外線送信機能を利用してＡＴＭ１０の通信部１８に送信する。ステップＳ４２において、ＡＴＭ１０の入出力処理部３１ａは、口座番号等の取引情報を受信する。ステップＳ４３において、入出力処理部３１ａでは、携帯電話機６から受信した取引予約番号と、すでにモバイルバンキング用サーバ３から受信していた取引予約番号とが一致するかが判定される。不一致の場合は、ステップＳ４４へ進む。
【００６７】
ステップＳ４４において、取引不可能の旨が利用者に通知される。この通知は、ＡＴＭ１０の接客口１２の近辺に設けられた表示部２３に表示されて通知される。前記ステップＳ４３において、取引予約番号が一致した場合は、ステップＳ４５へ進み、ステップＳ４５において、ＡＴＭ１０は、現金を計数して接客口１２に放出する。
【００６８】
ステップ４６において、取引科目（引出し）、口座番号、暗証番号、出金額、取引日時等が記憶部３２に記録手段（例えば、記録部）３１ｃにより記録される。
【００６９】
（実施例２の効果）
本実施例２のＡＴＭ１０によれば、実施例１の効果に加え、次の効果がある。すなわち、予め、利用者が携帯電話機６によりホストコンピュータ１と通信することにより仮出金処理を行うので、ＡＴＭ１０では、リアルタイムで口座ファイル２の更新を行う必要がなくなり、引出し処理が簡便、迅速になる。更に、ネットワーク環境については、必ずしも専用線である必要がなくなるのでＡＴＭ１０の設置が容易になる。
【実施例３】
【００７０】
本実施例３は、実施例１とほぼ同様であるが口座番号等の取引情報の入力を、バーコードを用いて行う。
【００７１】
（実施例３の構成）
本発明の実施例３におけるＡＴＭ１０の構成は、実施例１の構成と同様である。
【００７２】
（実施例３の動作）
図７は実施例３における図１のＡＴＭ１０の動作を示すフローチャートである。
【００７３】
本実施例３におけるＡＴＭ１０の動作は、以下のステップＳ５１〜Ｓ６０に従って処理が行われる。
【００７４】
引出し取引を行おうとする利用者は、予め、モバイルバンキングの仕組みを使って、携帯電話機６に取引予約番号、取引科目（引出し）、口座番号及び金額等の仮取引情報を入力してバーコードを作成しておき、ＡＴＭ１０に接近することにより本引出し取引が開始される。
【００７５】
なお、インターネットバンキングの仕組みを使って、パーソナルコンピュータにより、予め、取引予約番号、取引科目（引出し）、口座番号及び金額等の仮取引情報をバーコード化して紙片に印刷してもよい。
【００７６】
ステップＳ５１において、利用者により、予め、携帯電話機６に入力されていた前記口座番号等を携帯電話機６の画面に表示されているバーコード又は紙片に印刷されたバーコードをＡＴＭ１０のバーコードリーダ部１９にかざすことによりＡＴＭ１０に入力する。ＡＴＭ１０の入出力処理部３１ａは、口座番号等の取引情報を受信する。ステップＳ５２において、ホスト通信処理部３１ｂは、これらを編集してホストコンピュータ１に送信する。
【００７７】
ホストコンピュータ１では、ＡＴＭ１０からの電文を受信すると、受信した取引予約番号や口座番号等の正当性を確認し、取引が可能か否かを判定してその結果と、口座ファイル２から読み出した暗証番号とをＡＴＭ１０に送信する。
【００７８】
ステップＳ５３において、ホストコンピュータ１での判定の結果、取引不可能であれば、ステップＳ５４において、取引不可能の旨が利用者に通知され処理を終了する。この通知は、ＡＴＭ１の接客口１２近辺の表示部２３に表示して通知する。前記ステップＳ５３において、取引可能な場合は、ステップＳ５６に進み、ステップＳ５６において、入出力処理部３１ａは、接客口１２付近の表示部２３に暗証番号入力を促すメッセージを表示する。
【００７９】
利用者により暗証番号がキーパッド２２から入力されると、ステップＳ５７において、入出力処理部３１ａは、入力された暗証番号とホストコンピュータ１から受信していた暗証番号が一致するかが判定される。一致しなかったときは、ステップＳ５８へ進み、利用者に取引不可能が通知され引出し取引は中止されて本処理は終了する。
【００８０】
前記ステップＳ５７において、暗証番号が一致したときは、ステップＳ５９へ進み、ステップＳ５９において、ＡＴＭ１０は、現金を計数して接客口１２に放出する。ステップＳ６０において、取引が終了した旨を、ホスト通信処理部３１ｂはホストコンピュータ１に通知し、ホストコンピュータ１では、取引の終了通知を受けて口座ファイル２を更新する。
【００８１】
（実施例３の効果）
本実施例３のＡＴＭ１０によれば、実施例１の効果に加え、次の効果がある。すなわち、紙片にバーコードを印刷した場合は、利用者が携帯電話機６を持っていなくでもＡＴＭ１０への入力が可能になり、より簡便、迅速な処理が可能になる。
【００８２】
（変形例）
本発明は、上記実施例に限定されず、種々の利用形態や変形が可能である。この利用形態や変形例としては、例えば、次の（ａ）〜（ｉ）のようなものがある。
【００８３】
（ａ）  自動取引装置は、金融機関の店舗、コンビニエンスストア等に設置されるＡＴＭ１０のみに限定されない。利用者による操作によって取引を行う装置であって、現金を扱う装置であれば、広く適用ができる。
【００８４】
（ｂ）  実施例１〜２では、紙幣入出金機に携帯電話機６等と通信を行うための通信部１８を設けることで説明したが、既存のＡＴＭに携帯電話機６等との通信を行う通信部１８を設けてもよい。
【００８５】
（ｃ）  通信部１８は、赤外線通信機能を有することで説明したが、無線ＬＡＮ、Bluetooth通信やｉＣ通信等の無線通信であってもよいし、接続ケーブルを用いて携帯電話機６と有線で通信してもよい。
【００８６】
（ｄ）  実施例３では、バーコードリーダを用いる例を説明したが、キーパッドによるコード入力でも取引は可能である。
【００８７】
（ｅ）  実施例１〜３では、引出し取引を例に説明したが預入れ取引、振込、公共料金の支払いも同様に可能である。
【００８８】
（ｆ）  実施例１〜３では、紙幣の処理を例に説明したが、ＡＴＭ１０に硬貨入手金機を接続することにより硬貨の入出金も可能となる。
【００８９】
（ｇ）  実施例３では、ＡＴＭ１０への取引情報の入力をバーコードで行うことで説明したが、バーコードに代えて２次元バーコードでもよい。
【００９０】
（ｈ）  実施例１〜３では、利用者が携帯している入出力手段として携帯電話機６で説明したがＰＤＡ（携帯情報端末）やＰＨＳでもよい。
【００９１】
（ｉ）  実施例１では、携帯電話機６の同一性の確認を、取引情報を再度、携帯電話機６から受信してＡＴＭ１０で保持する取引情報と一致するかで判定したが、取引情報の代わりに携帯電話機６の端末機番号で判定してもよい。
【符号の説明】
【００９２】
１                ホストコンピュータ
２                口座ファイル
３                モバイルバンキング用サーバ
６                携帯電話機
１０                ＡＴＭ
１２                接客口
１８                通信部
１９                バーコードリーダ部
２２                キーパッド
２３                表示部
３０                外部インタフェース部
３１                主制御部
３１ａ              入出力処理部
３１ｂ              ホスト通信処理部
３１ｃ              記録部
３２                記憶部
【図１】
2010198266.tif 000003
【図２】
2010198266.tif 000004
【図３】
2010198266.tif 000005
【図４】
2010198266.tif 000006
【図５】
2010198266.tif 000007
【図６】
2010198266.tif 000008
【図７】
2010198266.tif 000009